(57)【要約】【課題】扉体に、開閉方向に摺動可能なスラットを複数個連続的に配置し、このスラットの一個又は複数個を個別に位置摺動可能とすることにより、通過対象物の外形に対応した通過開口を任意に形成可能とするとともに、防犯上の安全性を高める。【解決手段】開閉方向に移動可能な扉体１に、開閉方向に摺動可能なスラット３を複数個連続的に配置し、このスラット３の一個又は複数個を個別に位置摺動可能とすることにより、扉体１に開口部１８を形成可能とする。【選択図】図１
2007039931.tif 000002
【特許請求の範囲】
【請求項１】
開閉方向に移動可能な扉体に、開閉方向に摺動可能なスラットを複数個連続的に配置し、このスラットの一個又は複数個を個別に位置摺動可能とすることにより、扉体に開口部を形成可能とすることを特徴とするドア装置。
【請求項２】
スラットは、扉体の全体に、上端側から下端側まで連続して設けたことを特徴とする請求項１のドア装置。
【請求項３】
スラットは、扉体の一箇所又は複数箇所に分けて設けたことを特徴とする請求項１のドア装置。
【請求項４】
スラットは、任意の位置で開放方向には位置固定可能としたことを特徴とする請求項１、２、または３のドア装置。
【請求項５】
扉体は、引き戸型であることを特徴とする請求項１のドア装置。
【請求項６】
扉体は、開き戸型であることを特徴とする請求項１のドア装置。
【発明の詳細な説明】
【技術分野】
【０００１】
本発明は、複数のスラットから成るドア装置に関するものである。
【背景技術】
【０００２】
従来より、家屋等の出入り口には、壁面開口内又は一定の枠組内に、１枚又は２枚の平板状の扉体を配置した引き戸や開き戸等が一般的に使用されている。しかしながら、このような引き戸や開き戸を開放して開口部を形成した場合、壁面開口を通過する通過対象物の大きさや外形にかかわらず、通過対象物の通過に不必要な部分まで扉体を開放して開口部を形成しなければならない。従って、郵便、宅配便等の荷物の受け渡しのみを行う場合でも、扉体を開放することによって人間が通過することができる程度まで開口部を形成しなければならないものとなる。そのため、外部から荷物のみならず人間の侵入も可能となり、防犯上の問題が生じるという欠点があった。
【０００３】
また、室内の換気や温度調節等のために扉体を開放して風通しを良くしようとする場合には、開放した扉体を施錠することが出来ず、また、換気のために必要とするよりも大きな開口が形成されるため、防犯上の安全性を確保することが困難であった。また、屋内で飼育されている犬や猫等の小動物が壁面開口を通過する際には、扉体をその都度開放しなければならないため不便なものとなっていた。
【０００４】
そこで、特許文献１の如く、扉体の一部にくぐり戸を設けることにより、扉体を開放しなくても、くぐり戸を開放して開口部を形成することができるドア装置が既に公知となっている。特許文献１に記載のドア装置は、壁面開口に２枚の引き戸を配置しており、この引き戸の下半分に、開口部を形成可能とするくぐり戸を設けている。そのため、ドア本体を開放しなくても、くぐり戸を開放することにより壁面開口を通過することができる。
【０００５】
【特許文献１】特開平８−２４００７２
【発明の開示】
【発明が解決しようとする課題】
【０００６】
しかしながら、特許文献１の如きドア装置では、くぐり戸が扉体の下半分に設けられているため、荷物の受け渡し等の際にはその都度姿勢を低くしなければならず、不便である。また、このくぐり戸を開放して形成される開口部は、人間が通過可能な大きさであるため、ドア本体を施錠した状態であっても、開き戸を開放することにより不審者が容易に侵入することができ、防犯上の問題が生じていた。
【０００７】
そこで、本発明は上述の如き課題を解決しようとするものであって、扉体に、開閉方向に摺動可能なスラットを複数個連続的に配置し、このスラットの一個又は複数個を個別に位置摺動可能とすることにより、通過対象物の外形に対応した通過開口を任意に形成可能とするとともに、防犯上の安全性を高めることを可能にしようとするものである。
【課題を解決するための手段】
【０００８】
上述の如き課題を解決するため、本発明は、開閉方向に移動可能な扉体に、開閉方向に摺動可能なスラットを複数個連続的に配置し、このスラットの一個又は複数個を個別に位置摺動可能とすることにより、扉体に開口部を形成可能とするものである。
【０００９】
また、スラットは、扉体の全体に、上端側から下端側まで連続して設けたものであっても良い。
【００１０】
また、スラットは、扉体の一箇所又は複数箇所に分けて設けたものであっても良い。
【００１１】
また、スラットは、任意の位置で開放方向には位置固定可能としたものであっても良い。
【００１２】
また、扉体は、引き戸型であっても良い。
【００１３】
また、扉体は、開き戸型であっても良い。
【発明の効果】
【００１４】
本発明は、開閉方向に移動可能な扉体を設け、この扉体に、開閉方向に摺動可能なスラットを複数個連続的に配置し、このスラットの一個又は複数個を個別に位置摺動可能とすることにより、扉体の任意の位置に、任意の大きさの開口部を形成可能としている。そのため、荷物の受け渡しを行う際には、荷物だけが通過することのできる大きさの開口部のみを形成することができ、通過させる必要のない人間等を通過不能とすることができるため、防犯上の安全性を確保することができる。また、室内の換気や温度調節等を行う場合には、一部のスラットを開放することにより、扉体を閉鎖した状態で人間が通過することのできない大きさの開口部を形成することができるため、防犯上の安全を確保しながら室内の換気や温度調節を行うことができる。
【実施例１】
【００１５】
本発明の実施例１を図１〜図３において説明すれば、(１)は扉体で、図１に示す如く一つの枠体(２)と、この枠体(２)内に配置された複数のスラット(３)にて形成されている。また、この扉体(１)は一枚で壁面開口(４)を閉鎖可能とする引き戸型としている。そして、この扉体(１)内に配置された複数のスラット(３)は、図１に示す如く、断面形状を矢羽根形状とし、上面に係合凸部(５)を設けるとともに底面に係合凹部(６)を設けている。
【００１６】
そして、他のスラット(３)と係合凸部(５)及び係合凹部(６)において各々係合させることにより、枠体(２)内において上下方向に連続的に配置し、その各々は個別に摺動可能なものとなっている。また、全スラット(３)は枠体(２)内において隙間なく配置されるよう組み付けられており、全スラット(３)を完全に閉鎖した場合は、扉体(１)の全面が隙間なく閉鎖されるように各スラット(３)を配置している。
【００１７】
また、枠体(２)の厚さをスラット(３)の厚さよりも厚いものとし、スラット(３)の閉鎖方向である枠体(２)の一側に内面壁(７)を設け、スラット(３)が閉鎖したときにスラットの閉鎖側の一端面(８)が枠体(２)の内面壁(７)に当接可能なものとしている。また、この枠体(２)のスラット(３)開放方向である他側には、図１に示す如く、枠体(２)内に配置したスラット(３)が通過することのできるよう、枠体(２)内と枠体(２)外とを連通する側壁開口(１０)を設けている。そのため、スラット(３)を開放した場合には、図１に示す如く、当該スラット(３)が側壁開口(１０)を介して枠体(２)外部に摺動可能なものとなっている。また、枠体(２)の一側には把手部(１１)及び施錠具(１２)が設けられており、この施錠具(１２)を施錠することにより、枠体(２)を開放方向に摺動不能なものとしている。
【００１８】
また、各スラット(３)の一端面(８)側の側面にはそれぞれ取手(１３)が設けられている。この取手(１３)は、図３に示す如く、スラット(３)の閉鎖方向に一定の角度を介してＶ字型に係合体(１４)を接続するとともに、トーションバネ(１５)を介して各スラット(３)に回動可能に軸支されている。そして、取手(１３)に設けた固定ピン(３６)とスラット(３)との間にトーションバネ(１５)を固定配置することにより、係合体(１４)をスラット(３)の表面方向に付勢している。また、この係合体(１４)の先端には、スラット(３)の表面側に係合爪(３２)を折曲するとともに、折曲した外面を弧状部(３３)としている。
【００１９】
また、枠体(２)の内面壁(７)に連続する一側には、上記係合体(１４)に対応する位置に、係合体(１４)に係合可能な係合受部(１６)をそれぞれ配置している。この係合受部(１６)は、図３に示す如くＬ字型に折曲しており、折曲部(１７)は枠体(２)側に傾斜している。そのため、スラット(３)を閉鎖方向に摺動して枠体(２)の一側に近付けることにより、係合爪(３２)の弧状部(３３)が係合受部(１６)の折曲部(１７)に当接する。
【００２０】
そして、この状態から更にスラット(３)を閉鎖方向に摺動させると、係合爪(３２)の弧状部(３３)はトーションバネ(１５)の付勢力に抗して折曲部(１７)に沿って上方に移動し、スラット(３)の一端面(８)が枠体(２)の内面壁(７)に当接した時点で、係合爪(３２)は折曲部(１７)を乗り越え係合受部(１６)に係合し、この係合によりスラット(３)は開放方向に摺動不能となる。
【００２１】
また、このように係合体(１４)と係合受部(１６)が係合した状態からスラット(３)を開放する際には、図３の二点差線で示す如く、取手(１３)をトーションバネ(１５)の付勢力に抗してスラット(３)側に回動させる。これにより、係合体(１４)と係合受部(１６)の係合が解除されるため、このように取手(１３)を回動させた状態でスラット(３)を開放方向に摺動させることにより、スラット(３)を任意の位置に摺動させることが可能となる。
【００２２】
また、このようなスラット(３)の取手(１３)は、図２に示す如く、室内側にのみ取り付けられており、図１に示す室外側には取り付けられていない。そのため、全てのスラット(３)の係合体(１４)が枠体(２)の係合受部(１６)に係合している状態では、外部の者はスラット(３)を容易に開放することができないものとなっている。従って、枠体(２)の施錠具(１２)を施錠した状態で、室内にいる者のみが目的に応じて各スラット(３)を任意の位置まで開放することができる。そのため、荷物の受け渡し等の際には当該荷物が通過可能な大きさの開口部(１８)のみ形成することができ、外部の人間が容易に室内に侵入することができないものとすることができる。
【００２３】
また、室内の温度調節や換気のため、一部のスラット(３)を開放して人間が通過できない程度の開口部(１８)を形成し、他のスラット(３)の係合体(１４)を係合受部(１６)に係合させた状態とすることにより、外部の人間は容易に侵入することができなくなるため、安全に室内の温度調節や換気を行うことが可能となる。また、このドア装置はモータ等の動力を用いることなく、手動で開閉可能となるよう形成するものであって、複雑な装置を使用しないため、製造が容易となり、低廉な製品を得ることが出来る。
【実施例２】
【００２４】
上記実施例１では、スラット(３)を扉体(１)全体に、上端側から下端側まで連続して配置しているが、本発明の実施例２では、スラット(３)を扉体(１)の上端側と下端側の二箇所に分けて配置している。本実施例２を図４及び図５に於いて説明すると、図４に示す如く、扉体(１)には上端側及び下端側にそれぞれ上方開口(３０)及び下方開口(３１)を形成し、上方開口(３０)には５枚のスラット(３)を配置するとともに下方開口(３１)には２枚のスラット(３)を配置している。また、各スラット(３)は、上記実施例１と同様に、係合凸部(５)と係合凹部(６)とを係合することにより連続配置されている。
【００２５】
このようにスラット(３)を扉体(１)に部分的に配置することにより、扉体(１)に組み付けるスラット(３)の枚数を減らすことができるため、製造を容易なものとすることができる。また、扉体(１)を開放せずに、上端側のスラット(３)のみを開放することにより荷物の受け取り、訪問販売の対応等を容易に行うことができ、下端側のスラット(３)のみを開放することにより、屋内で飼育しているペットの出入りを容易に行ったり、外部から容易に室内を覗かれることなく室内の換気等を行うことができるため、用途に応じた開口部(１８)を容易に形成することができる。
【００２６】
また、図５に示す如く、このスラット(３)の幅方向中央には、スラット(３)の軸方向にラチェット溝(２０)が設けられており、このラチェット溝(２０)には、複数の係合段部(２１)及び傾斜面(２２)が同一方向に配置されている。そして、枠体(２)のスラット開放方向の他側壁(２４)には、この係合段部(２１)に係合可能な係合突部(２６)を設けた押圧部材(２３)を配置している。この押圧部材(２３)はＬ字形状であって、枠体(２)の他側壁(２４)に直角に突出した一対の固定壁(３４)間に、支持軸(３５)によって回動可能に軸支されており、一端に係合突部(２６)を設けるとともに、支持軸(３５)を介した他端に平板状の押圧部(２７)を設けている。そして、この係合突部(２６)を、枠体(２)の他側壁(２４)に貫通形成した貫通穴(２５)に挿入してスラット(３)側に突出させることにより、スラット(３)の係合段部(２１)と係合可能としている。
【００２７】
また、この押圧部材(２３)の押圧部(２７)と枠体(２)との間には押圧発条(２８)を介装している。そして、この押圧発条(２８)にて押圧部(２７)を枠体(２)とは反対方向に常時付勢することにより、押圧部材(２３)の係合突部(２６)は支持軸(３５)を支点として枠体(２)方向に付勢されることから、係合突部(２６)は貫通穴(２５)を介してスラット(３)の係合段部(２１)に係合した状態を維持する。そのため、スラット(３)は開放方向に位置摺動不能となり位置固定される。
【００２８】
そして、このように位置固定されたスラット(３)を開放するには、押圧発条(２８)の付勢力に抗して押圧部材(２３)の押圧部(２７)を他側壁(２４)方向に押圧する。これにより、係合突部(２６)は支持軸(３５)を支点としてスラット(３)とは反対側に、弧状の軌道を描いて回動する。この時、貫通穴(２５)は、内部に挿入した係合突部(２６)が円滑に移動することができる大きさとしているため、係合突部(２６)は貫通穴(２５)を介してスラット(３)とは反対側に回動する。この係合突部(２６)の回動により、スラット(３)の係合段部(２１)と押圧部材(２３)の係合突部(２６)との係合が解除され、スラット(３)は開放方向に摺動可能となる。
【００２９】
次に、スラット(３)の閉鎖方向への摺動は、押圧部材(２３)の押圧部(２７)を押圧発条(２８)の付勢力に抗して押圧することにより、上記と同じくスラット(３)の係合段部(２１)と押圧部材(２３)の係合突部(２６)との係合が解除されるため、スラット(３)を閉鎖方向にスムーズに摺動させることが可能となる。
【００３０】
また、上記の如く押圧部材(２３)の押圧部(２７)を押圧せずにスラット(３)を閉鎖方向に摺動させることも可能である。本実施例では、図５に示す如く、押圧部材(２３)の係合突部(２６)と係合している係合段部(２１)と、この係合段部(２１)の閉鎖方向に隣接した次の係合段部(２１)との間には傾斜面(２２)が設けられているため、スラット(３)が閉鎖方向に摺動するようスラット(３)閉鎖方向に力を加えることにより、スラット(３)の係合段部(２１)に係合していた押圧部材(２３)の係合突部(２６)が傾斜面(２２)上を閉鎖方向に摺動し、次の係合段部(２１)と係合することとなる。
【００３１】
また、ラチェット溝(２０)に設けた傾斜面(２２)が全て同じ方向に傾斜するよう形成しているため、更にスラット(３)閉鎖方向に力を加えることにより、係合突部(２６)は次の傾斜面(２２)を乗り越え、次の係合段部(２１)と係合する。このようにして、スラット(３)閉鎖方向に力を加えることにより、係合突部(２６)は任意の数の係合段部(２１)を乗り越えることが可能であり、スラット(３)は閉鎖方向に任意の位置まで摺動可能なものとなっている。従って、特別な手段を要することなくスラット(３)閉鎖方向に力を加えるのみで、各スラット(３)を閉鎖方向に任意の位置まで容易に摺動させることができるとともに、係合段部(２１)単位での微調整が可能となる。
【００３２】
また、係合突部(２６)はラチェット溝(２０)の任意の係合段部(２１)と係合することができるよう形成されている。そのため、上記の如くスラット(３)を開放方向又は閉鎖方向に任意の位置まで摺動し、対応する位置の係合段部(２１)に係合突部(２６)を係合させることにより、スラット(３)を任意の位置で開放方向に位置移動不能とすることができる。
【００３３】
また、本実施例でもスラット(３)のラチェット溝(２０)及び枠体(２)に設けた押圧部材(２３)を室内側にのみ形成している。このように形成することにより、上記実施例１と同様に、外部からはスラット(３)を開放方向に摺動困難なものとしている。また、上記実施例１では、スラット(３)に設けた係合体(１４)に係合可能な係合受部(１６)を、枠体(２)のスラット(３)閉鎖方向である一側に設けていたが、本実施例では、図４に示す如く押圧部材(２３)を枠体(２)の他側に設けている。
【００３４】
そのため、外部から開口部を介して押圧部材(２３)に手が届きにくくなることから、外部の者が開口部(１８)から室内に手を入れて押圧部材(２３)を操作してスラット(３)を開放方向に摺動させることが困難となる。従って、防犯上の安全性を更に高めることができる。
【実施例３】
【００３５】
また、上記実施例１及び２では、上記の如く扉体(１)を引き戸型としているが、本実施例３では、図６に示す如く、扉体(１)を開き戸型としている。そして、この扉体(１)の上方及び下方には、それぞれ略正方形の上方開口(３０)及び下方開口(３１)を形成するとともに、この上方開口(３０)及び下方開口(３１)には、それぞれスラット(３)を複数個配置している。尚、本実施例３では、スラット(３)を扉体(１)の枠体(２)内部において摺動可能なものとしている。そして、この扉体(１)の枠体(２)の一側には、上記実施例１及び２と同様に、把手部(１１)及び施錠具(１２)が設けられており、施錠具(１２)を施錠することにより、扉体(１)を開放不能なものとしている。
【図面の簡単な説明】
【００３６】
【図１】本発明の実施例１を示す扉体の室内側の斜視図。
【図２】実施例１の扉体の外部側の斜視図。
【図３】図１のＡ−Ａ線断面図。
【図４】本発明の実施例２を示す扉体の正面図。
【図５】実施例２の扉体の一部拡大斜視図。
【図６】本発明の実施例３を示す扉体の外部側の斜視図。
【符号の説明】
【００３７】
１  扉体
３  スラット
１８  開口部
【図１】
2007039931.tif 000003
【図２】
2007039931.tif 000004
【図３】
2007039931.tif 000005
【図４】
2007039931.tif 000006
【図５】
2007039931.tif 000007
【図６】
2007039931.tif 000008